(57)【要約】【課題】軸方向に並んだレンガの界面を浸透する溶湯により芯部材が溶損することが抑えられた浸漬管を提供すること。【解決手段】本発明の浸漬管２は、上下方向に延びる筒状の浸漬管芯部材２１と、浸漬管芯部材２１の内周側に配置された複数の浸漬管レンガ２４により構成された筒状の浸漬管レンガ層２３と、を備える浸漬管２であって、環流管芯部材３１、複数の環流管レンガ３４により形成される環流管レンガ層３３を備える環流管３の下端に接続され、上下方向で隣接する浸漬管レンガ２４と環流管レンガ３４が、互いに対向する対向面２４ａ，３４ｂの全面で密着した状態で配列してなり、浸漬管レンガ２４の上面２４ａは、径方向での外径側の端部２４１が、径方向での内方側の端部２４２より上方に位置することを特徴とする。この構成によると、浸漬管レンガ２４と環流管レンガ３４の界面を浸透する溶湯５により芯部材２１，３１が溶損することが抑えられる。【選択図】図２
2018104726.tif 000002
【特許請求の範囲】
【請求項１】
上下方向に延びる筒状の浸漬管芯部材と、
該浸漬管芯部材の内周側に配置された複数の浸漬管レンガにより形成され、内周面を形成する浸漬管レンガ層と、
を備える浸漬管であって、
上下方向に延びる筒状の環流管芯部材と、該環流管芯部材の内周側に配置された複数の環流管レンガにより形成され、内周面を形成する環流管レンガ層と、を備える環流管の下端に、該環流管と連通した状態で接続され、
上下方向で隣接する該浸漬管レンガと該環流管レンガが、互いに対向する対向面の全面で密着した状態で配列してなり、
該浸漬管レンガの上面は、径方向での外径側の端部が、径方向での内方側の端部より上方に位置することを特徴とする浸漬管。
【請求項２】
前記浸漬管レンガの上面は、
前記内方側の端部を含み、軸方向に垂直に広がる内径側上面部と、
前記外方側の端部を含み、軸方向に垂直に広がる外径側上面部と、
該内径側上面部と外径側上面部とを接続する接続面部と、
を備える請求項１記載の浸漬管。
【請求項３】
前記浸漬管レンガの上面は、前記接続面部が上下方向にそって延びる階段状の断面をなす請求項２記載の浸漬管。
【請求項４】
前記内径側上面部の径方向長さが、前記外径側上面部の径方向長さより長い請求項２〜３のいずれか１項に記載の浸漬管。
【請求項５】
前記浸漬管レンガの上面は、内径側から外径側に進むにつれて上方に向かう傾斜面である請求項１記載の浸漬管。
【発明の詳細な説明】
【技術分野】
【０００１】
本発明は、浸漬管に関する。
【背景技術】
【０００２】
主に溶鋼中の脱ガス、特に脱水素、脱炭を行うＲＨ，ＤＨ脱ガス装置には、溶鋼に浸漬する浸漬管が用いられる。浸漬管は、たとえば、特許文献１に記載されている。
【０００３】
浸漬管は、上下方向に延びる筒状の芯部材と、芯部材の内周側に配置された複数のレンガにより構成された筒状のレンガ層と、を備えている。芯部材の外周側は、キャスタブル層が形成される。レンガ層の内周側（あるいは、軸心側）には、溶鋼（あるいは、高温の金属溶湯）が流通する溶湯通路が形成されている。そして、浸漬管は、使用時に、その下方の先端部が溶鋼に浸漬し、溶鋼が溶湯通路を下方から上方に向けて、あるいは上方から下方に向けて流れる。
【０００４】
浸漬管は、上端に径方向に沿って広がるフランジ部を備えている。浸漬管は、このフランジ部を介して脱ガス装置に組み付けられる。詳しくは、脱ガス装置には上下方向に延びる筒状の環流管がもうけられ、浸漬管は、この環流管の下端に組み付けられる。環流管も、浸漬管と同様に、芯部材及びレンガ層とを備えた構成を有する。芯部材は、下端にフランジ部を備える。浸漬管と環流管は、フランジ部同士が密着して接続する。接続した浸漬管と環流管は、一対のレンガ層と一対のフランジ部のそれぞれの界面が、上下方向に垂直な方向に沿って広がる。すなわち、上下方向が鉛直方向である場合に、水平方向に界面が広がる。
【０００５】
浸漬管及び環流管は、複数のレンガを配設することでレンガ層が形成されており、レンガの合わせ面（界面）に溶鋼が浸透することがある。溶鋼が浸透して芯部材に到達すると、芯部材の溶損が生じる。特に、浸漬管のレンガ層（浸漬管レンガ層）と環流管のレンガ層（環流管レンガ層）との界面において、この浸透が生じやすい。そして、浸透した溶鋼がフランジ部に溶損を生じさせると、浸漬管と環流管との接続部でのガスシール性が低下する。そうすると、脱ガス装置の真空状態（減圧状態）の保持が困難となり、溶鋼の処理（詳しくは、精錬処理）が不十分となるという問題が発生する。
【０００６】
より具体的には、レンガの合わせ面がフランジ部と一致する場合には、合わせ面の間を浸透した溶鋼がフランジ部を溶損する。一方、合わせ面をフランジ部より上方にずらしても、合わせ面を浸透した溶鋼がレンガの外周面に回り込んでフランジ部を溶損していた。
【先行技術文献】
【特許文献】
【０００７】
【特許文献１】特開平１０−２１９３４０号公報
【発明の概要】
【発明が解決しようとする課題】
【０００８】
本発明は上記実情に鑑みてなされたものであり、軸方向に並んだレンガの合わせ面（界面）の間を浸透する溶湯により芯部材が溶損することが抑えられた浸漬管を提供することを課題とする。
【課題を解決するための手段】
【０００９】
上記課題を解決する本発明の浸漬管は、上下方向に延びる筒状の浸漬管芯部材と、浸漬管芯部材の内周側に配置された複数の浸漬管レンガにより形成され、内周面を形成する浸漬管レンガ層と、を備える浸漬管であって、上下方向に延びる筒状の環流管芯部材と、環流管芯部材の内周側に配置された複数の環流管レンガにより形成され、内周面を形成する環流管レンガ層と、を備える環流管の下端に、環流管と連通した状態で接続され、上下方向で隣接する浸漬管レンガと環流管レンガが、互いに対向する対向面の全面で密着した状態で配列してなり、浸漬管レンガの上面は、径方向での外径側の端部が、径方向での内方側の端部より上方に位置することを特徴とする。
【００１０】
本発明の浸漬管は、軸方向に密着した状態で並んだ浸漬管レンガと環流管レンガのうち浸漬管レンガの上面（すなわち、浸漬管レンガと環流管レンガが密着する当接界面）が、外径側の径方向での端部が内径側の端部よりも上方に位置した構成となっている。この構成によると、内径側から浸漬管レンガと環流管レンガの密着した界面に溶湯（詳しくは、溶鋼）が浸透したとしても、内径側の端部から外径側の端部に向けて上方に向かって流れようとする。しかし、重力により、上方に向かう流れは抑制される。つまり、溶湯が更に浸透することが抑えられる。この結果、本発明の浸漬管は、浸漬管レンガと環流管レンガが密着した界面（合わせ面）を浸透する溶湯が芯部材を溶損することが抑えられる。
【図面の簡単な説明】
【００１１】
【図１】実施形態１の真空脱ガス装置の構成を示す図である。
【図２】実施形態１の真空脱ガス装置の浸漬管の構成を示す図である。
【図３】実施形態１の真空脱ガス装置の浸漬管の定形レンガの構成を示す図である。
【図４】実施形態１の真空脱ガス装置の浸漬管の定形レンガの構成を示す断面図である。
【図５】真空脱ガス装置の浸漬管の定形レンガの構成を示す断面図である。
【図６】実施形態２の真空脱ガス装置の浸漬管の定形レンガの構成を示す図である。
【図７】実施形態３の真空脱ガス装置の浸漬管の定形レンガの構成を示す図である。
【図８】実施形態４の真空脱ガス装置の浸漬管の定形レンガの構成を示す図である。
【発明を実施するための形態】
【００１２】
以下、本発明の浸漬管について、真空脱ガス装置を用いて具体的に説明する。
【００１３】
［実施形態１］
本形態の真空脱ガス装置１は、図１に示したように、上部槽１１と、下部槽１２と、浸漬管２と、環流管３と、を備えている。
【００１４】
上部槽１１は、高い真空状態に減圧されている。下部槽１２は、上部槽１１の下方においてその上部槽１１に連通している。
【００１５】
浸漬管２は、下部槽１２の下方においてその下部槽１２に連通しているとともに、取鍋１３内の溶湯５に浸漬されている。浸漬管２は、環流管３を介して下部槽１２に接続する。取鍋１３は、下部槽１２の下方に配設されている。浸漬管２は、溶湯５が流れる溶湯通路４を形成する。溶湯５は、取鍋１３に貯留する、溶融金属（例えば、溶鋼）よりなる。
【００１６】
浸漬管２及び環流管３は、互いに平行な状態で、かつその軸方向が上下方向（鉛直方向）に伸びた状態で並設された２本を備える。図１で左側に記載した一方の浸漬管２及び環流管３は、溶湯５が取鍋１３から下部槽１２に上昇して流れる上昇管であり、図１で右側に記載した他方の浸漬管２及び環流管３は、溶湯５が下部槽１２から取鍋１３に下降して流れる下降管である。
【００１７】
真空脱ガス装置１において、使用中すなわち操業中は、図示しない配管を介して上昇管に不活性ガス（例えば、アルゴンガスなど）が吹き込まれる。上昇管に不活性ガスが吹き込まれると、取鍋１３内の溶湯５が、上部槽１１の真空状態により下部槽１２側に引き込まれて上昇管の溶湯通路４を上昇し、その後、下降管の溶湯通路４を下降して取鍋１３に戻って環流する。この環流の過程において、溶湯５の脱ガスが進行するとともに、そのガスが上部槽１１から真空脱ガス装置１の外部に排出される。
【００１８】
（浸漬管）
浸漬管２は、図２に示したように、浸漬管芯部材２１と、浸漬管耐火物層２２と、を備えている。
【００１９】
浸漬管芯部材２１は、芯金とも称される部材であり、金属材料（例えば、炭素鋼や合金鋼）により構成されている。浸漬管芯部材２１は、上下方向に延びる円筒状に形成されている。上下方向に延びるとは、円筒状の浸漬管芯部材２１の軸方向が上下方向に沿って延びた状態を示す。なお、浸漬管芯部材２１は、全体として上下方向に延びた形状である。
【００２０】
浸漬管芯部材２１は、浸漬管耐火物層２２の芯体として機能するとともに、浸漬管２の外周側に存在する外気を溶湯通路４に向けて浸透させるのを抑制する外気遮断機能を有している。浸漬管芯部材２１は、浸漬管芯部材に相当する。
【００２１】
浸漬管芯部材２１は、上端に環流管３と接続するための接続フランジ部２１１を有する。接続フランジ部２１１は、浸漬管芯部材２１の上端に外径方向に突出している。接続フランジ部２１１の上面は、下部槽１２から下方に伸びる環流管３のフランジ部３１１の下面と当接（気密、液密状態で密着）した状態で固定する。接続フランジ部２１１は、浸漬管２が溶湯５に浸漬されているときに、溶湯５の湯面より上方に位置する。
【００２２】
浸漬管耐火物層２２は、耐火物としての浸漬管レンガ層２３と、耐火物としてのキャスタブル層２５と、を有している。
【００２３】
浸漬管レンガ層２３は、浸漬管芯部材２１の内周側に配置されている。浸漬管レンガ層２３は、浸漬管芯部材２１の内周面に沿った円筒状に形成されている。浸漬管レンガ層２３の内周側には、溶湯５が流れる溶湯通路４が形成されている。浸漬管レンガ層２３は、浸漬管レンガ層に相当する。
【００２４】
浸漬管レンガ層２３は、複数の定形レンガよりなる浸漬管レンガ２４を浸漬管芯部材２１の内周面に沿って並べて配置されている。浸漬管レンガ２４は、マグネシアカーボン質もしくは高温で焼成されたマグネシアクロム質の耐火物で形成でき、耐熱性及び高強度を有している。浸漬管レンガ２４は、浸漬管レンガに相当する。
【００２５】
浸漬管レンガ２４は、複数が並べられた状態で、互いに接着される。浸漬管レンガ２４の接着は、両者の間に配されたモルタル（図示せず）によりなされる。
【００２６】
キャスタブル層２５は、浸漬管芯部材２１の外周側、下方側及び内周側に配置されている。
【００２７】
キャスタブル層２５は、浸漬管芯部材２１の外周側にもうけられ、筒状の浸漬管２の外周面を形成する。
【００２８】
キャスタブル層２５は、流動性を有するキャスタブル材料を型枠に流し込んで（すなわち、鋳込んで）形成される。キャスタブル層２５は、円筒状に形成されている。キャスタブル材料は、従来の浸漬管２での材料を用いることができ、例えば、アルミナ系の材質、アルミナマグネシア質、アルミナスピネル質、若しくはアルミナマグネシアスピネル質の材質を用いることができる。
【００２９】
キャスタブル層２５は、浸漬管芯部材２１の下端の内周側には、溶湯５が流通する溶湯通路４を形成している。溶湯通路４は、上記の溶湯通路４に連通している。溶湯通路４は、溶湯通路４の径と一致する径を有している。すなわち、浸漬管レンガ層２３の内径とキャスタブル層２５の下端の内径は一致している。また、連通する溶湯通路４は、外径の変化がない状態（定径の状態）で形成されている。
【００３０】
キャスタブル層２５は、図２に示したように、浸漬管芯部材２１の内周側にもうけられ、浸漬管レンガ２４と浸漬管芯部材２１との間のすき間に充填している。
【００３１】
浸漬管芯部材２１は、下端に浸漬管レンガ層２３（浸漬管レンガ２４）の下端面を支持するレンガ押さえ金具２１２を有する。レンガ押さえ金具２１２は、浸漬管芯部材２１の下端に内径方向に突出したフランジ状を備え、その上面が浸漬管レンガ層２３の下端面を形成する浸漬管レンガ２４の下端面と当接する。すなわち、レンガ押さえ金具２１２は、浸漬管レンガ層２３（浸漬管レンガ２４）を支持・固定する。レンガ押さえ金具２１２は、フランジ状の内径方向への突出量は、浸漬管レンガ層２３（浸漬管レンガ２４）の径方向の厚さより短い。
【００３２】
浸漬管芯部材２１は、さらに、その外周面のほぼ全域には、複数個のスタッド２１３が溶接やボルト等で固定されている。スタッド２１３は、キャスタブル層２５に埋設されており、その脱落を抑制する。スタッド２１３は、浸漬管芯部材２１の外周面に、周方向及び軸方向のそれぞれにおいて間隔を隔てた状態で複数個配置されている。スタッド２１３は、従来のスタッドを用いることができ、ＶスタッドやＹスタッドを挙げることができる。なお、図２では、Ｖスタッドを示す。
【００３３】
（環流管）
環流管３は、図２に示したように、環流管芯部材３１と、環流管耐火物層３２と、を備えている。
【００３４】
環流管３は、下部槽１２の下方においてその下部槽１２に連通した状態で、下部槽１２に接続されている。環流管３は、軸方向が上下方向（鉛直方向）に伸びた状態で並設された２本を備える。環流管３は、浸漬管２とともに溶湯５が流れる溶湯通路４を形成する。
【００３５】
環流管芯部材３１は、浸漬管２の浸漬管芯部材２１のときと同様に形成される。環流管芯部材３１は、環流管芯部材に相当する。
【００３６】
環流管芯部材３１は、下端に浸漬管２と接続するためのフランジ部３１１を有する。環流管３のフランジ部３１１は、浸漬管２のフランジ部２１１と密着して組み付け可能に形成されている。
【００３７】
環流管耐火物層３２は、浸漬管２の浸漬管耐火物層２２と同様に形成される。環流管耐火物層３２は、耐火物としての環流管レンガ層３３と、キャスタブル層３５と、を有している。環流管レンガ層３３は、環流管レンガ層に相当する。
【００３８】
環流管レンガ層３３は、浸漬管２の浸漬管レンガ層２３と同様に、環流管芯部材３１の内周側に配置された複数の環流管レンガ３４から形成される。環流管レンガ層３３は、環流管芯部材３１の内周面に沿った円筒状に形成されている。環流管レンガ３４は、環流管レンガに相当する。環流管レンガ３４も同様に、モルタル（図示せず）で接着される。
【００３９】
キャスタブル層３５は、図２に示したように、環流管芯部材３１の内周側にもうけられ、環流管レンガ３４と環流管芯部材３１との間のすき間に充填している。
【００４０】
環流管３は、溶湯５の流れが妨げられない溶湯通路４を形成できれば、環流管芯部材３１や環流管耐火物層３２は、そのサイズ等は限定されない。すなわち、浸漬管２と同じサイズであっても、異なるサイズであってもいずれでもよい。同じサイズであることが好ましい。
【００４１】
（浸漬管レンガと環流管レンガ）
浸漬管２は、一対のフランジ部２１１，３１１が密着した状態で、環流管３に接続・固定される。この状態では、浸漬管２の浸漬管レンガ層２３の浸漬管レンガ２４の上面２４ａと、環流管３の環流管レンガ層３３の環流管レンガ３４の下面３４ｂとが、互いの対向面の全面で密着した状態となる。すなわち、浸漬管レンガ層２３と、環流管レンガ層３３とが、すき間が無い状態で配列する。このことは、浸漬管レンガ２４の上面２４ａと、環流管レンガ３４の下面３４ｂとが、互いに対応した形状をなしていることを示す。浸漬管２の浸漬管レンガ２４と環流管３の環流管レンガ３４も同様に、モルタル（図示せず）で接着される。
【００４２】
浸漬管２の浸漬管レンガ２４の上面２４ａには、外径側に位置する外径側上面部２４１と、内径側に位置する内径側上面部２４２と、外径側上面部２４１と内径側上面部２４２を接続する接続面部２４３、が形成されている。
【００４３】
外径側上面部２４１は、上面２４ａの径方向外方の端部から径方向内方に向かって、軸方向に垂直な方向に沿って広がる。外径側上面部２４１は、浸漬管レンガ２４の上面２４ａの径方向での外径側の端部を含む。内径側上面部２４２は、上面２４ａの径方向内方の端部から径方向外方に向かって、軸方向に垂直な方向に沿って広がる。内径側上面部２４２は、浸漬管レンガ２４の上面２４ａの径方向での内径側の端部を含む。外径側上面部２４１及び内径側上面部２４２は、環状の平面をなしている（軸方向に垂直な面に沿って広がる環状の平面をなしている）。
【００４４】
接続面部２４３は、外径側上面部２４１の内径側の端部と内径側上面部２４２の外径側の端部とを接続する。接続面部２４３は、上下方向に延びる面（軸方向に平行な面）をなしている。外径側上面部２４１、接続面部２４３及び内径側上面部２４２は、図３に示したように、１段の階段状（クランク状）の断面形状を形成している。なお、図３は、軸方向に並んだ浸漬管２の浸漬管レンガ２４と環流管３の環流管レンガ３４の当接界面近傍の構成を模式的に示す部分拡大図である。
【００４５】
さらに、接続面部２４３と環流管レンガ３４の間に充填したモルタルは、その厚さ（径方向の厚さ）が薄いこと（すなわち、過剰に厚くならないこと）が好ましい。接続面部２４３と環流管レンガ３４の間の距離が長くなると、充填するモルタル量が増加する。
【００４６】
接続面部２４３は、外周面が円に近い多角形よりなる角錐台の錐体面であることが好ましく、本形態のように外周面が円錐台の錐体面をなすことがさらに好ましい。図４に、図３のＩＶ−ＩＶ線での断面図を示した。なお、図４に示したように、接続面部２４３の外周面は、軸芯を中心とした円形状に沿って形成されている。
【００４７】
環流管３の環流管レンガ３４の下面３４ｂは、浸漬管レンガ２４の上面２４ａに対応した形状、すなわち、組み合わせたときに密着する形状に形成されている。この結果、軸方向に並んだ浸漬管レンガ２４と環流管レンガ３４は、浸漬管レンガ２４の上面２４ａと、環流管レンガ３４の下面３４ｂにおいてすき間を形成することなく密着する。
【００４８】
浸漬管レンガ２４の上面２４ａは、外径側の端部を含む外径側上面部（２４１）が、内径側の端部を含む内径側上面部（２４２）より上方に位置するように形成されている。
【００４９】
外径側上面部（２４１）は、内径側上面部（２４２）より５ｍｍ以上上方に位置することが好ましく、５〜１０ｍｍ上方に位置することがより好ましい。
【００５０】
さらに、上下方向で隣接する浸漬管レンガ２４と環流管レンガ３４の密着した界面（２４ａと３４ｂの界面）は、一対の接続フランジ部２１１，３１１と軸方向位置が重ならないことが好ましい。浸漬管レンガ２４と環流管レンガ３４の密着した界面（２４ａと３４ｂの界面）は、一対の接続フランジ部２１１，３１１の界面よりも上側に位置することがより好ましい。このとき、浸漬管レンガ２４と環流管レンガ３４の密着した界面（２４ａと３４ｂの界面）は、浸漬管レンガ２４の外径側上面部２４１を示す。内径側上面部２４２が、一対の接続フランジ部２１１，３１１の界面よりも上側に位置することが更に好ましい。
【００５１】
内径側上面部２４２の径方向長さ（Ｌ２）は、外径側上面部２４１の径方向長さ（Ｌ１）より長く形成されていることが好ましい（Ｌ２≧Ｌ１）。より好ましくは、内径側上面部２４２の径方向長さ（Ｌ２）と外径側上面部２４１の径方向長さ（Ｌ１）との比は、５０〜８０：２０〜５０である。
【００５２】
浸漬管レンガ層２３（浸漬管レンガ２４）及び環流管レンガ層３３（環流管レンガ３４）の径方向の厚さ（Ｌ２＋Ｌ１）は、溶湯通路４を形成できる厚さであれば限定されるものではない。例えば、溶湯通路４の内径が４００〜８００ｍｍの場合には、１５０〜２５０ｍｍであることが好ましい。同様に、浸漬管芯部材２１及び環流管芯部材３１の内径は、これらのレンガ層２３，３３を形成できる内径を備えることができるサイズであることが好ましい。
【００５３】
（本形態の効果）
本形態の真空脱ガス装置１は、浸漬管２が環流管３に接続し、浸漬管レンガ２４と環流管レンガ３４とが、対向面の全面で密着した状態で上下方向に配列している。そして、浸漬管レンガ２４の上面２４ａは、外径側上面部２４１が、内径側上面部２４２より上方に位置する。すなわち、浸漬管レンガ２４の上面２４ａは、径方向での外径側の端部が、径方向での内方側の端部より上方に位置する。
【００５４】
この構成では、浸漬管レンガ層２３及び環流管レンガ層３３が溶湯通路４を区画し、溶湯通路４を流れる溶湯５（溶鋼）と浸漬管レンガ層２３（浸漬管レンガ２４）及び環流管レンガ層３３（環流管レンガ３４）とが当接する。そして、上下方向で隣接した浸漬管レンガ２４と環流管レンガ３４の当接界面（上面２４ａと下面３４ｂの界面）に溶湯５が浸透すると、浸漬管レンガ２４の内径側上面部２４２に沿って径方向外方に向けて溶湯５が浸透する。そして、接続面部２４３に溶湯５が到達する。接続面部２４３は、上方に向けて形成されている。このため、当接界面（上面２４ａと下面３４ｂの界面）に沿って更に溶湯５が浸透しようとすると、溶湯５は、重力に抗して接続面部２４３に沿って流れる必要がある。溶湯５には、重力により上方に向かう流れが阻害される。この結果、浸漬管レンガ２４の外径側上面部２４１まで溶湯５（溶鋼）が浸透することが抑えられる。
【００５５】
このように、本形態の真空脱ガス装置１（及び浸漬管２）は、軸方向に並んだ２つの浸漬管レンガ２４と環流管レンガ３４の当接界面（上面２４ａと下面３４ｂの界面）を浸透する溶湯５が浸漬管芯部材２１や環流管芯部材３１に到達しなくなり、各芯部材２１，３１が溶湯５により溶損することが抑えられる。
【００５６】
さらに、溶湯５が各芯部材２１，３１に到達しないことで、各芯部材２１，３１が接続する一対の接続フランジ部２１１，３１１の溶損も抑えられる。
【００５７】
本形態の真空脱ガス装置１（及び浸漬管２）において、浸漬管レンガ２４の上面２４ａは、内方側の端部を含み、軸方向に垂直に広がる内径側上面部２４２と、外方側の端部を含み、軸方向に垂直に広がる外径側上面部２４１と、内径側上面部２４２と外径側上面部２４１とを接続する接続面部２４３と、を備える。
【００５８】
この構成によると、上面２４ａに沿って溶湯５が浸透することを抑えることができる。
【００５９】
本形態の真空脱ガス装置１（及び浸漬管２）は、浸漬管レンガ２４の上面２４ａにおける接続面部２４３が上下方向にそって延びる階段状の断面をなすように形成されている。
【００６０】
この構成では、接続面部２４３が上下方向に沿ってのびている。そうすると、上下方向で隣接した２つの浸漬管レンガ２４と環流管レンガ３４の当接界面（上面２４ａと下面３４ｂの界面）に溶湯５が浸透しても、上下方向に沿って延びる接続面部２４３が上下方向に延びていることで、溶湯５の更なる浸透を確実に抑えることができる。
【００６１】
本形態の真空脱ガス装置１（及び浸漬管２）は、内径側上面部２４２の径方向長さＬ２が、外径側上面部２４１の径方向長さＬ１より長くなるように形成されている（Ｌ２≧Ｌ１）。
【００６２】
この構成によると、浸漬管２の溶湯通路４に溶湯５が流れて浸漬管レンガ２４と環流管レンガ３４が摩耗する場合、内径側上面部２４２が先に摩耗する。内径側上面部２４２が摩耗しても、内径側上面部２４２と外径側上面部２４１とを備えた構成を長期間維持できる。すなわち、本形態の真空脱ガス装置１及び浸漬管２は、その効果を長期間に亘って発揮でき、その結果として長寿命で使用できる。
【００６３】
さらに、本形態の真空脱ガス装置１（及び浸漬管２）は、浸漬管レンガ２４の上面２４ａにおける接続面部２４３の外周面が、円錐台の錐体面をなしている。この構成によると、浸漬管２と環流管３とが、周方向に位相がずれても、浸漬管レンガ２４と環流管レンガ３４の間のすき間を短く維持でき、充填するモルタル量の増加を抑えることができる。
【００６４】
一方、接続面部２４３の外周面が、多角形状をなしている場合、浸漬管２と環流管３とが、周方向に位相がずれると、図５に示すように、浸漬管２の接続面部２４３の多角形の角部と、環流管３の平面部とが径方向で並ぶ状態となる。この場合、浸漬管レンガ２４と環流管レンガ３４の間に部分的に大きなすき間が形成される。そうすると、充填するモルタル量が増加する。そして、接続面部２４３の外周面が、円に近い多角形となるほど、このすき間が小さくなる。なお、図５は、図４と同様な断面図である。
【００６５】
［実施形態２］
本形態は、浸漬管２の浸漬管レンガ２４及び環流管３の環流管レンガ３４の当接界面（上面２４ａと下面３４ｂの界面）の構成が異なること以外は、実施形態１と同様な真空脱ガス装置１である。
【００６６】
浸漬管２は、図６に示したように、浸漬管レンガ２４の上面２４ａが、外径側上面部２４１と内径側上面部２４２との間に、さらに、軸方向に垂直な平面に沿って広がる中間面部２４４を有する。すなわち、実施形態１の接続面部２４３が中間面部２４４を有する構成となっている。言い換えると、浸漬管レンガ２４と環流管レンガ３４の当接界面（上面２４ａと下面３４ｂの界面）が、２段の階段状に形成されている。なお、図６は、図３に対応した図面で示した。
【００６７】
本形態では、内径側上面部２４２の径方向長さ（Ｌ２）＞中間面部２４４の径方向長さ（Ｌ４）＞外径側上面部２４１の径方向長さ（Ｌ１）、の関係であることが好ましい。最内径側に位置する内径側上面部２４２の径方向長さ（Ｌ２）が最も長いことがより好ましい。
【００６８】
本形態は、上下方向に隣接する浸漬管レンガ２４と環流管レンガ３４の当接界面（上面２４ａと下面３４ｂの界面）の階段形状の段の数が異なるのみであることから、実施形態１と同様な効果を発揮できる。
【００６９】
［実施形態３］
本形態は、浸漬管２の浸漬管レンガ２４及び環流管３の環流管レンガ３４の当接界面（上面２４ａと下面３４ｂの界面）の構成が異なること以外は、実施形態１と同様な真空脱ガス装置１である。
【００７０】
浸漬管２は、図７に示したように、浸漬管レンガ２４の上面２４ａが、内径側から外径側にかけて下方から上方に向かう傾斜した傾斜面（テーパ面）をなすように形成されている。本形態では、浸漬管レンガ２４と環流管レンガ３４の当接界面（上面２４ａと下面３４ｂの界面）の内径側の一部が内径側上面部２４２に相当し、そこより外径側の一部が外径側上面部２４１に相当する。なお、図７は、図３に対応した図面で示した。
【００７１】
本形態においても、浸漬管レンガ２４と環流管レンガ３４の当接界面（上面２４ａと下面３４ｂの界面）の断面形状が階段状からテーパ状に異なっているのみであることから、実施形態１〜２と同様な効果を発揮できる。
【００７２】
なお、傾斜面の角度については限定されるものではない。
【００７３】
本形態では、浸漬管レンガ２４と環流管レンガ３４の当接界面（上面２４ａと下面３４ｂの界面）がテーパ状に形成されており、組み付け時に環流管レンガ３４の下面３４ｂが、浸漬管レンガ２４の上面２４ａにガイドされる。すなわち、浸漬管レンガ２４と環流管レンガ３４の組み付け、すなわち浸漬管２と環流管３の組み付けを簡単にできる。
【００７４】
［実施形態４］
本形態は、浸漬管２の浸漬管レンガ２４及び環流管３の環流管レンガ３４の当接界面（上面２４ａと下面３４ｂの界面）の構成が異なること以外は、実施形態１と同様な真空脱ガス装置１である。
【００７５】
浸漬管２は、図８に示したように、浸漬管レンガ２４の上面２４ａが、外径側上面部２４１と内径側上面部２４２との間に、傾斜した中間面傾斜部２４５を有する。中間面傾斜部２４５は、内径側から外径側にかけて下方から上方に向かう傾斜した傾斜面（テーパ面）をなすように形成されている。本形態は、実施形態１の接続面部２４３が傾斜した中間面傾斜部２４５をなしている。なお、図８は、図３に対応した図面で示した。
【００７６】
本形態では、内径側上面部２４２の径方向長さ（Ｌ２）＞中間面傾斜部２４５の径方向長さ（Ｌ５）＞外径側上面部２４１の径方向長さ（Ｌ１）、の関係であることが好ましい。最内径側に位置する内径側上面部２４２の径方向長さ（Ｌ２）が最も長いことがより好ましい。
【００７７】
本形態は、浸漬管レンガ２４と環流管レンガ３４の当接界面（上面２４ａと下面３４ｂの界面）において、接続面部２４３が傾斜した構成となっているのみであることから、実施形態１と同様な効果を発揮できる。
【符号の説明】
【００７８】
１：真空脱ガス装置        １１：上部槽
１２：下部槽              １３：取鍋
２：浸漬管                ２１：浸漬管芯部材
２２：浸漬管耐火物層      ２３：浸漬管レンガ層
２４：浸漬管レンガ        ２５：キャスタブル層
３：環流管                ３１：環流管芯部材
３２：環流管耐火物層      ３３：環流管レンガ層
３４：環流管レンガ        ３５：キャスタブル層
４：溶湯通路
５：溶湯
【図１】
2018104726.tif 000003
【図２】
2018104726.tif 000004
【図３】
2018104726.tif 000005
【図４】
2018104726.tif 000006
【図５】
2018104726.tif 000007
【図６】
2018104726.tif 000008
【図７】
2018104726.tif 000009
【図８】
2018104726.tif 000010